(57)【要約】【課題】接続部が同一であっても、ホスト機器が対応する規格を判定し、ホスト機器に接続して使用される電子機器の設定を切換えることが可能な切換装置及びその切換装置を有する電子機器を提供することを目的とする。【解決手段】本実施の形態に係る切換装置５０及びその切換装置を有する電子機器２０は、第１の規格または第２の規格に対応する前記ホスト機器の接続手段と接続される接続部３０からの信号によりホスト機器１０の規格を判別し、接続部３０が同一であってもホスト機器１０の規格に応じてその設定を切換えることができる。従って、電子機器２０はホスト機器１０の規格に対応した設定で動作することができる。【選択図】図１
2011203781.tif 000002
【特許請求の範囲】
【請求項１】
ホスト機器と接続して使用される電子機器の設定を切換える切換装置において、
第１の規格または第２の規格に対応する前記ホスト機器の接続手段と接続されるとともに、前記第１の規格及び前記第２の規格に対応する接続部と、
前記接続部からの信号に基づいて、前記接続部が接続されている前記ホスト機器の前記接続手段が対応する規格が、前記第１の規格及び前記第２の規格の内、いずれの規格であるかを判定する判定部と、
前記判定部の判定結果に応じて前記電子機器の設定を切換える切換部と、
を有することを特徴とする切換装置。
【請求項２】
前記接続部は前記ホスト機器と接続される複数の端子を有しており、
前記判定部は前記複数の端子の内の特定の端子の電位に基づいて前記接続手段が対応する規格を判定することを特徴とする請求項１記載の切換装置。
【請求項３】
前記判定部は、前記特定の端子の電位が、前記特定の端子が開放されているときの電位である開放電位である場合、前記接続手段は前記第１の規格に対応していると判定し、前記特定の端子の電位がグラウンド電位である場合、前記接続手段は前記第２の規格に対応していると判定することを特徴とする請求項２記載の切換装置。
【請求項４】
前記切換部は、前記判定部によって前記接続手段は前記第１の規格に対応していると判定された場合、最大消費電流が第１の電流を超えない設定に前記電子機器を設定し、前記判定部によって前記接続手段は前記第２の規格に対応していると判定された場合、最大消費電流が前記第１の電流よりも大きい第２の電流を超えない設定に前記電子機器を設定することを特徴とする請求項１乃至３のいずれか１項に記載の切換装置。
【請求項５】
前記第２の規格は、前記第１の規格よりも高速に通信することが可能な規格であり、
前記複数の端子は、前記第１の規格に対応する第１の端子群、及び、前記第２の規格に対応する第２の端子群を含み、
前記特定の端子は前記第２の端子群が有する複数の端子の内のデータ通信用のグラウンド端子であることを特徴とする請求項２乃至４のいずれか１項に記載の切換装置。
【請求項６】
前記第１の規格はＵＳＢ１．１規格またはＵＳＢ２．０規格であり、
前記第２の規格はＵＳＢ３．０規格であることを特徴とする請求項１乃至５のいずれか１項に記載の切換装置。
【請求項７】
請求項１乃至６のいずれか１項に記載の切換装置を有する電子機器。
【発明の詳細な説明】
【技術分野】
【０００１】
本発明は、ホスト機器と接続可能な電子機器の設定を切換える切換装置及びその切換装置を有する電子機器に関し、特にホスト機器と接続することで当該ホスト機器の規格を判定しその規格に応じて電子機器の設定を切換える切換装置及びその切換装置を有する電子機器に関するものである。
【背景技術】
【０００２】
一般的な電子機器は商用電源のコンセントから個別に電力を取得して動作する。しかしながら、相互に接続可能な電子機器が増加するにつれ、接続に必要なケーブルの本数が増加し、接続が煩雑となったり外観が見苦しいなどの問題が生じてきた。このため、特に音響、映像機器の分野や、パーソナルコンピュータ等の情報通信機器等の分野で、信号の送受信を１本のケーブルで行なう電子機器が多く商品化されている。そして近年、信号の送受信のみならず電力供給をも１本のケーブルで行なう電子機器も、一部の低消費電力の電子機器で商品化されている。
【０００３】
信号の送受信と電力供給を１本のケーブルで行なう接続の例としては、近年パーソナルコンピュータを中心に広く普及したＵＳＢ（Ｕｎｉｖｅｒｓａｌ  Ｓｅｒｉａｌ  Ｂｕｓ）接続がある。ただし、従来のＵＳＢ２．０規格もしくはＵＳＢ１．１規格（以後、ＵＳＢ１．１／２．０規格と記す）では、電力供給を受ける電子機器側の最大消費電流値が５００ｍＡに制限されており、この電流値を超えると電力供給を行なう例えばパーソナルコンピュータであるホスト機器に不具合が生じる可能性がある。よって、ホスト機器には、この最大消費電流値を超過しないための保護回路を備えているものが多い。この保護回路の一例として電流検出機能付きの電源スイッチＩＣを用いたものがある。この電流検出機能付きの電源スイッチＩＣを用いた保護回路では、規定された最大消費電流値を超えると電子機器への電力供給を停止する。しかしながら、瞬時に電子機器への電力供給が停止されると、電子機器の側が悪影響を受ける恐れがある。従って、電力供給を受ける電子機器においても規定された最大消費電流値を超えないよう制御されることが好ましい。
【０００４】
ここで、下記［特許文献１］には電力供給を車両のバッテリから受けるかＵＳＢケーブルを介して受けるかによって自身の消費電流を変化させるナビゲーション装置に関する発明が開示されている。
【先行技術文献】
【特許文献】
【０００５】
【特許文献１】特開２００９−１１５７２１号公報
【発明の概要】
【発明が解決しようとする課題】
【０００６】
しかしながら、［特許文献１］に開示されている発明では、電力の供給源毎に接続部を有し、どちらの接続部から電力が供給されているかによって供給源を判別する。このため、接続部が同一で供給電力の規格が異なる場合、その規格を判別することは困難である。
【０００７】
特に上記のＵＳＢ接続では、最大消費電流値９００ｍＡまでの電力供給を行うことが可能なＵＳＢ３．０規格が登場した。このＵＳＢ３．０規格は、ＵＳＢ１．１／２．０規格と互換性があり、ＵＳＢ１．１／２．０規格と接続部を共用することができる。
【０００８】
本発明は上記事情に鑑みてなされたものであり、接続部が同一であっても、ホスト機器が対応する規格を判定し、ホスト機器に接続して使用される電子機器の設定を切換えることが可能な切換装置及びその切換装置を有する電子機器を提供することを目的とする。
【課題を解決するための手段】
【０００９】
本発明は、
（１）ホスト機器１０と接続して使用される電子機器２０の設定を切換える切換装置において、
第１の規格または第２の規格に対応する前記ホスト機器の接続手段と接続されるとともに、前記第１の規格及び前記第２の規格に対応する接続部３０と、
前記接続部３０からの信号に基づいて、前記接続部３０が接続されている前記ホスト機器１０の前記接続手段が対応する規格が、前記第１の規格及び前記第２の規格の内、いずれの規格であるかを判定する判定部３２と、
前記判定部３２の判定結果に応じて前記電子機器２０の設定を切換える切換部３４と、
を有することを特徴とする切換装置５０を提供することにより、上記課題を解決する。
（２）前記接続部３０は前記ホスト機器１０と接続される複数の端子を有しており、
前記判定部３２は前記複数の端子の内の特定の端子の電位に基づいて前記接続手段が対応する規格を判定することを特徴とする上記（１）記載の切換装置５０を提供することにより、上記課題を解決する。
（３）前記判定部３２は、前記特定の端子の電位が、前記特定の端子が開放されているときの電位である開放電位である場合、前記接続手段は前記第１の規格に対応していると判定し、前記特定の端子の電位がグラウンド電位である場合、前記接続手段は前記第２の規格に対応していると判定することを特徴とする上記（２）記載の切換装置５０を提供することにより、上記課題を解決する。
（４）前記切換部３４は、前記判定部３２によって前記接続手段は前記第１の規格に対応していると判定された場合、最大消費電流が第１の電流を超えない設定に前記電子機器を設定し、前記判定部３２によって前記接続手段は前記第２の規格に対応していると判定された場合、最大消費電流が前記第１の電流よりも大きい第２の電流を超えない設定に前記電子機器２０を設定することを特徴とする上記（１）乃至（３）のいずれか１つに記載の切換装置５０を提供することにより、上記課題を解決する。
（５）前記第２の規格は、前記第１の規格よりも高速に通信することが可能な規格であり、
前記複数の端子は前記第１の規格に対応する、第１の端子群、及び、前記第２の規格に対応する第２の端子群を含み、
前記特定の端子は前記第２の端子群が有する複数の端子の内のデータ通信用のグラウンド端子であることを特徴とする上記（２）乃至（４）のいずれか１項に記載の切換装置５０を提供することにより、上記課題を解決する。
（６）前記第１の規格はＵＳＢ１．１規格またはＵＳＢ２．０規格であり、
前記第２の規格はＵＳＢ３．０規格であることを特徴とする上記（１）乃至（５）のいずれか１つに記載の切換装置５０を提供することにより、上記課題を解決する。
（７）上記（１）乃至（６）のいずれか一つに記載の切換装置５０を有する電子機器２０を提供することにより、上記課題を解決する。
【発明の効果】
【００１０】
ホスト機器と接続する接続部からの信号によりホスト機器の規格を判別し、接続部が同一であってもホスト機器の規格に応じて、ホスト機器と接続して使用される電子機器の設定を切換えることができる切換装置及びその切換装置を有する電子機器を提供することができる。
【図面の簡単な説明】
【００１１】
【図１】本発明に係る切換装置及び電子機器を示すブロック図である。
【図２】ＵＳＢコネクタの端子配列を説明する図である。
【図３】本発明に係る切換装置の動作を説明するフローチャートである。
【図４】本発明に係る切換装置及び電子機器を記録媒体用のドライブに適用した一実施の形態を示すブロック図である。
【図５】本発明に係る切換装置及び電子機器をパワードスピーカに適用した一実施の形態を示すブロック図である。
【発明を実施するための形態】
【００１２】
本発明に係る切換装置及びその切換装置を有する電子機器の実施の形態について図面に基づいて説明する。図１に示す本実施の形態に係る電子機器２０は本発明に係る切換装置５０を有している。そして、切換装置５０は、ホスト機器１０と接続される接続部３０と、接続部３０からの信号に基づいて接続されているホスト機器１０の接続手段が対応する規格を判定する判定部３２と、判定部３２の判定結果に応じて電子機器２０の設定を切換える切換部３４と、を有している。なお、一例として切換装置５０が電子機器２０に内蔵されている場合について説明するが、切換装置５０は必ずしも電子機器２０に内蔵されていなくてもよく、切換装置５０は、電子機器の２０の外部から電子機器２０の設定を切換えてもよい。例えば、切換装置５０は、電子機器２０が切換装置５０を介してホスト機器１０と接続されている状態で、電子機器２０の設定を切換えてもよい。
【００１３】
ホスト機器１０と接続部３０とは所定の規格に準拠したケーブル１４を介して接続される。ここでの接続規格の例としては、前述のＵＳＢ接続の他、Ｄ端子接続、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）接続等が挙げられる。尚、本例ではホスト機器１０から電力供給を受ける電子機器２０に搭載され、ＵＳＢ接続のＵＳＢ３．０規格とＵＳＢ１．１／２．０規格とを判別する例を用いて説明を行うが、本願はこれに限定されるものではない。尚、上記のＵＳＢ接続の規格を判別する例においては、ホスト機器１０はパーソナルコンピュータや、ＵＳＢ接続が可能なオーディオ・ビジュアル機器等となる。また、電子機器２０はＵＳＢ接続を介してホスト機器１０側から電力の供給を受けるハードディスク、記録媒体用ドライブ、プリンタ、音響装置、表示装置、ファン等の機器となる。
【００１４】
先ず、ＵＳＢ３．０規格のコネクタ形状を図２を用いて説明する。尚、図２ではケーブル１４側のコネクタ形状を示すものであり、接続部３０側のコネクタ形状は図２に示すものと対応する形状となる。
【００１５】
ここで、図２（ａ）はＡタイプのＵＳＢコネクタの外観図である。また、図２（ｂ）は、ＡタイプのＵＳＢ３．０規格のコネクタの各端子の配列を接続部側から見た図である。また、図２（ｃ）は、図２（ｂ）のＴ−Ｔ断面図である。尚、ＡタイプのＵＳＢコネクタはホスト機器１０側の接続に多く用いられる。また、図２（ｄ）はＢタイプのＵＳＢコネクタの外観図である。また、図２（ｅ）は、ＢタイプのＵＳＢ３．０規格のコネクタの各端子の配列を接続部側から見た図である。尚、ＢタイプのＵＳＢコネクタはデバイス側、即ち、本願における電子機器２０側の接続に多く用いられる。
【００１６】
図２（ｂ）、（ｃ）より、ＡタイプのＵＳＢ３．０規格のコネクタの各端子は上下２段に形成されており、図２中下段の右から左へ端子Ｐ１〜端子Ｐ４が配置され、図２中上段の左から右へ端子Ｐ５〜端子Ｐ９が配置されている。また、図２（ｅ）より、ＢタイプのＵＳＢ３．０規格のコネクタの各端子は上部と下部とに形成されており、下部には図２中の左上から時計回りに端子Ｐ１〜端子Ｐ４が配置され、上部には図２中の右から左へ端子Ｐ５〜端子Ｐ９が配置されている。
【００１７】
そして、端子Ｐ１は電源供給端子（ＶＢＵＳ）であり、また端子Ｐ４は電源用ＧＮＤ端子である。また、端子Ｐ２、Ｐ３はＵＳＢ１．１／２．０規格のデータ通信のための信号用端子である。また、端子Ｐ５、Ｐ６、及び端子Ｐ８、Ｐ９、はＵＳＢ３．０規格のデータ通信のための高速信号用端子である。また、端子Ｐ７はＵＳＢ３．０規格の高速信号用グラウンド（ＧＮＤ）端子（ＧＮＤ  ＤＲＡＩＮ）である。尚、上記のように端子Ｐ１〜端子Ｐ４はＵＳＢ１．１／２．０規格に準拠しており、ＵＳＢ３．０の規格はＵＳＢ１．１／２．０の規格に対し上位互換性を備えている。そして、ＵＳＢ３．０規格のケーブル１４をＵＳＢ１．１／２．０規格のホスト機器１０の接続手段に接続した場合、端子Ｐ５〜Ｐ９は全てＯＰＥＮ（開放電位）となる。
【００１８】
接続部３０はこれらの端子と対応する複数の端子を有している。特に、上記のＵＳＢ接続における接続部３０は、ＵＳＢ１．１／２．０規格の端子Ｐ１〜端子Ｐ４に対応する第１の端子群と、第１の端子群よりも高速通信が可能なＵＳＢ３．０の規格の端子Ｐ５〜端子Ｐ９に対応する第２の端子群とを備えている。第２の端子群は第１の端子群よりもデータ通信に使用する端子が多いため、高速通信が可能となっている。
【００１９】
次に、切換装置５０の動作を説明する。先ず、切換装置５０の接続部３０とホスト機器１０とをＵＳＢ３．０規格に準拠したケーブル１４で接続する。
【００２０】
切換装置５０がホスト機器１０に接続されると、図３のステップＳ１００に示すように切換装置５０の動作がスタートする。次に、判定部３２は接続部３０の特定の端子の電位を取得する（ステップＳ１０２）。このときの特定の端子はＵＳＢ３．０規格用の端子Ｐ５〜Ｐ９とする。ここで仮に、ホスト機器１０が第１の規格であるＵＳＢ１．１／２．０規格のものであった場合、ＵＳＢ３．０規格用の端子Ｐ５〜Ｐ９は全て開放電位となる。また、ホスト機器１０が第２の規格であるＵＳＢ３．０規格のものであった場合、端子Ｐ５、Ｐ６、及び端子Ｐ８、Ｐ９には所定の信号もしくはその信号に応じた電位となる。また、端子Ｐ７はグラウンド電位となる。判定部３２は取得した特定の端子の電位を判定し（ステップＳ１０４）、その電位が開放電位であればホスト機器１０の接続手段が第１の規格であるＵＳＢ１．１／２．０規格に対応すると判定する（ステップＳ２００）。また、その電位が開放電位以外であればホスト機器１０の接続手段が第２の規格であるＵＳＢ３．０規格に対応すると判定する（ステップＳ３００）。尚、端子Ｐ５、Ｐ６、Ｐ８、Ｐ９はデータ通信用端子のため電位はその都度変化するが、端子Ｐ７はグラウンド電位で一定である。従って、判定部３２はＵＳＢ３．０規格の高速信号用グラウンド端子である端子Ｐ７の電位を判別して、その電位が開放電位であればホスト機器１０の接続手段をＵＳＢ１．１／２．０規格と判定し、グラウンド電位であればホスト機器１０の接続手段をＵＳＢ３．０規格と判定することが最も好ましい。
【００２１】
切換部３４は判定部３２の判定結果に応じて電子機器２０の設定を切換える。例えば、判定部３２がホスト機器１０の接続手段を第１の規格であるＵＳＢ１．１／２．０規格と判定すると、切換部３４はその判定結果を受けて電子機器２０の設定を第１の電流である最大消費電流値５００ｍＡを超えない第１の規格に対応した設定に切換える（ステップＳ２０２）。また、判定部３２がホスト機器１０の接続手段を第２の規格であるＵＳＢ３．０規格と判定すると、切換部３４は電子機器２０の設定を第１の電流よりも大きい第２の電流である最大消費電流値９００ｍＡを超えない第２の規格に対応した設定に切換える（ステップＳ３０２）。そして、切換装置５０の判定動作及び切換動作は終了する（ステップＳ１０８）。
【００２２】
次に、切換部３４が切換える設定の一例として、電子機器２０がＤＶＤ等の記録媒体用のドライブ２０ａの場合を図４に示す。電子機器２０がドライブ２０ａの場合、判定部３２がホスト機器１０の接続手段をＵＳＢ１．１／２．０規格と判定すると、切換部３４はドライブ２０ａの消費電流値が５００ｍＡを超えないようにするために、制御部４０の書込速度設定部４２を操作し書き込み速度設定を例えば４倍速設定に切換える。また、判定部３２がホスト機器１０の接続手段をＵＳＢ３．０規格と判定すると、切換部３４は書込速度設定部４２を操作して、書き込み速度設定を４倍速設定のときよりも書き込み速度が速くなり、かつ、消費電流値が大きくなる８倍速設定に切換える。これにより、ドライブ２０ａのドライブユニット４４は、ホスト機器１０の接続手段がＵＳＢ１．１／２．０規格に対応する場合には４倍速設定で書き込み動作を行い、ホスト機器１０の接続手段がＵＳＢ３．０規格に対応する場合には８倍速設定で書き込み動作を行う。つまり、切換部３４は、ホスト機器１０の接続手段がＵＳＢ３．０規格に対応する場合には、ホスト機器１０の接続手段がＵＳＢ１．１／２．０規格に対応する場合よりも早い書き込み速度の設定にドライブ２０ａを設定する。
【００２３】
ここで、一般的なＤＶＤドライブでは、特に書き込み時の回転速度が速くなると消費電流が上昇する。これは、回転速度が上がることによりモータの消費電力が増加することに加えレーザ出力も増大するためである。従って、ホスト機器１０側の規格に応じて書き込み速度設定を切換えることで、ホスト機器１０がＵＳＢ１．１／２．０規格であってもＵＳＢ３．０規格であっても、電子機器２０（ドライブ２０ａ）はその規格における最大の能力で動作することができる。また、ホスト機器１０側の規格に応じて書き込み速度設定を切換えることで、その最大消費電流をホスト機器１０側の規格で定められた値未満に抑えることができる。
【００２４】
次に、本願の切換装置５０及び電子機器２０をＵＳＢ接続のパワードスピーカに適用した一実施の形態を図５示す。電子機器２０としてのパワードスピーカ２０ｂは、切換装置５０と、パワードスピーカ２０ｂの各部を制御する制御部２４と、ユーザがパワードスピーカ２０ｂを操作するための操作部２５と、を有している。また、パワードスピーカ２０ｂは、ホスト機器１０から供給される電力の電流値を検出する電流検出部２１と、ホスト機器１０から入力するＬチャンネル、Ｒチャンネルのデジタル音声信号をアナログ音声信号に変換するデジタル／アナログ変換部２２と、音声出力の音量を増減する音量調整部２３と、制御部２４の制御によりアナログ音声信号のレベルをそれぞれ制限する電流制限部２６ａ、２６ｂと、アナログ音声信号をそれぞれ増幅するパワーアンプ２７ａ、２７ｂと、アナログ音声信号をそれぞれ音声として出力するＬチャンネルスピーカＳＰＫ（Ｌ）、ＲチャンネルスピーカＳＰＫ（Ｒ）と、を有している。
【００２５】
次に、パワードスピーカ２０ｂの動作を説明する。先ず、パワードスピーカ２０ｂの接続部３０とホスト機器１０とをＵＳＢ３．０規格に準拠したケーブル１４を介して接続する。接続部３０がホスト機器１０に接続されると、切換装置５０の判定部３２が接続部３０の端子Ｐ７の電位を判別する。そして、判定部３２は端子Ｐ７の電位が開放電位であればホスト機器１０をＵＳＢ１．１／２．０規格と判定する。また、グラウンド電位であればホスト機器１０をＵＳＢ３．０規格と判定する。
【００２６】
切換部３４は、判定部３２がホスト機器１０をＵＳＢ１．１／２．０規格と判定すると、制御部２４の設定を最大消費電流値が５００ｍＡであるＵＳＢ１．１／２．０規格のものに切換える。また、判定部３２がホスト機器１０をＵＳＢ３．０規格と判定すると、制御部２４の設定を最大消費電流値が９００ｍＡであるＵＳＢ３．０規格のものに切換える。
【００２７】
これと並行して、接続部３０の端子Ｐ１にはホスト機器１０からの電力がケーブル１４を介して供給される。供給された電力は切換装置５０を含む電子機器２０の各部に供給される。また、電流検出部２１はホスト機器１０から供給される電力の電流値を検出し制御部２４に出力する。尚、図５においては電源ラインの記載は省略する。
【００２８】
またこれと並行して、接続部３０の端子Ｐ２からはホスト機器１０から出力されたＬチャンネルのデジタル音声信号が入力する。また、接続部３０の端子Ｐ３からはホスト機器１０から出力されたＲチャンネルのデジタル音声信号が入力する。尚、本例ではホスト機器１０がＵＳＢ３．０規格のものであっても、ホスト機器１０からのデジタル音声信号は端子Ｐ２、Ｐ３から入力するものとする。
【００２９】
端子Ｐ２、Ｐ３から入力したＬチャンネル、Ｒチャンネルのデジタル音声信号は、デジタル／アナログ変換部２２に入力し、ここでアナログ音声信号に変換される。変換されたアナログ音声信号は音量調整部２３に入力する。音量調整部２３は制御部２４によって制御され、例えばユーザが操作部２５を操作して出力音声の増減指示を行なうと、制御部２４はその指示に応じて音量調整部２３の増幅量もしくは減衰量を変化させる。これにより、音声出力の音量が増減する。
【００３０】
音量調整部２３から出力したＬチャンネル、Ｒチャンネルのアナログ音声信号はそれぞれパワーアンプ２７ａ、２７ｂで増幅される。パワーアンプ２７ａ、２７ｂで増幅されたアナログ音声信号は、ＬチャンネルスピーカＳＰＫ（Ｌ）、ＲチャンネルスピーカＳＰＫ（Ｒ）からそれぞれ音声として出力される。
【００３１】
ここで、判定部３２がホスト機器１０をＵＳＢ１．１／２．０規格と判定し制御部２４の設定がＵＳＢ１．１／２．０規格となっている状態で、電流検出部２１からの電流値が５００ｍＡを超えた場合、制御部２４は電流制限部２６ａ、２６ｂを制御して端子Ｐ１からの供給電力の電流値を最大消費電流値である５００ｍＡ以下とする。また、判定部３２がホスト機器１０をＵＳＢ３．０規格と判定し制御部２４の設定がＵＳＢ３．０規格となっている状態で、電流検出部２１からの電流値が９００ｍＡを超えた場合、制御部２４は電流制限部２６ａ、２６ｂを制御して端子Ｐ１からの供給電力の電流値を最大消費電流値である９００ｍＡ以下とする。
【００３２】
尚、電流制限部２６ａ、２６ｂが動作しても、電流検出部２１からの電流値が設定された規格の最大消費電流値を超える場合、制御部２４は音量調整部２３を制御して音声出力の音量をさらに減少させることで供給電力の電流値をその規格の最大消費電流値以下とする。
【００３３】
ここで、パワードスピーカ２０ｂのパワーアンプ２７ａ、２７ｂなどの電源効率を仮に８０％とすると、最大消費電流値が５００ｍＡであるＵＳＢ１．１／２．０規格では、その出力は最大約２Ｗである。これに対し、最大消費電流値が９００ｍＡであるＵＳＢ３．０規格では、その出力を約１．８倍の最大３．６Ｗに向上することができる。つまり、ホスト機器１０の最大消費電流値に応じてパワードスピーカ２０ｂ自身の最大消費電流の上限値を切換えることで、ホスト機器１０がＵＳＢ１．１／２．０規格であってもＵＳＢ３．０規格であっても、パワードスピーカ２０ｂはその規格における最大の出力で動作することができる。
【００３４】
以上のように、本実施の形態に係る切換装置５０及びその切換装置５０を有する電子機器２０は、接続部３０の特定の端子、特にＵＳＢ接続においては高速信号用グラウンド端子である端子Ｐ７の電位により、ホスト機器１０の規格を判別する。このため、接続部３０が同一であっても容易な回路構成でホスト機器１０の規格を判定することができる。
【００３５】
また、その判定結果に応じて電子機器２０の設定を変更する。従って、特にＵＳＢ接続ではホスト機器１０がＵＳＢ１．１／２．０規格であってもＵＳＢ３．０規格であっても、電子機器２０はその規格における最大の能力で動作することができる。さらに、ホスト機器１０の規格に応じて電子機器２０自身の最大消費電流の上限値の切り換えを行なうことが可能なため、いずれの規格であっても規定された最大消費電流値を超えることが無い。よって、ホスト機器１０、電子機器２０、双方を安定して動作させることができる。
【００３６】
尚、上記の切換装置５０は一例であるから、ドライブ２０ａ、パワードスピーカ２０ｂの構成は無論のこと、切換装置５０の各部の構成、動作、規格の判定方法等は、本発明の要旨を逸脱しない範囲で変更して実施することが可能である。例えば、電力供給可能な機器であればホスト機器はパーソナルコンピュータでなくても良く、本発明の切換装置及びその切換装置を有する電子機器は電力供給可能な様々な機器に対応することができる。また、ＵＳＢ規格を例に説明したが、電力供給及びデータ通信が可能な規格であれば、どのような規格でもよい。
【００３７】
また、切換部３４が、ホスト機器１０の接続手段が対応する規格に応じて、電子機器２０の最大消費電流に関する設定を切換える例を説明したが、切換部３４が切換える電子機器２０の設定は電子機器２０の最大消費電流に関する設定に限らない。
【００３８】
例えば、ホスト機器１０の接続手段が対応する規格に応じてデータの通信速度も変わるため、例えば、電子機器２０が表示装置であり、ホスト機器１０から電子機器２０へ映像データが送信され、表示装置がその映像データに基づく映像を表示する場合、規格に応じた通信速度の違いにより、映像の画質が異なる場合がある。そのような場合、切換部３４は、ホスト機器１０の接続手段が対応する規格に応じて、表示装置の画質調整に関する設定を切換えてもよい。
【００３９】
また、接続部の端子の電位に基づいて規格を判定する構成としたが、これに限らず、データの通信速度によって規格を判定してもよい。
【符号の説明】
【００４０】
１０    ホスト機器
２０    電子機器
３０    接続部
３２    判定部
３４    切換部
５０    切換装置
【図１】
2011203781.tif 000003
【図２】
2011203781.tif 000004
【図３】
2011203781.tif 000005
【図４】
2011203781.tif 000006
【図５】
2011203781.tif 000007